(57)【要約】【課題】部品の交換に伴う不具合の発生を防止することができ、無駄に交換される部品を削減することができる静電散布ノズル及び静電散布装置を提供する。【解決手段】本実施の形態に係る静電散布ノズル２は、帯電した液体を散布するための静電散布ノズル２において、液体を噴霧するノズル本体２１と、該ノズル本体２１から噴霧される液体の周囲に配され、軸長方向が前記液体の噴霧方向に沿う環状の電極２２と、該電極２２が埋め込まれ、該電極２２を絶縁し防水する環状の防水部材２３と、先端部が前記防水部材２３の外部に露出するように前記電極２２から突出する接続端子２２２と、絶縁性及び防水性を有し、前記ノズル本体２１に取り付けられ、前記防水部材２３を保持する保持部材２４とを備えることを特徴とする。【選択図】図３
2018167219.tif 000002
【特許請求の範囲】
【請求項１】
帯電した液体を散布するための静電散布ノズルにおいて、
液体を噴霧するノズル本体と、
該ノズル本体から噴霧される液体の周囲に配され、軸長方向が前記液体の噴霧方向に沿う環状の電極と、
該電極が埋め込まれ、該電極を絶縁し防水する環状の防水部材と、
先端部が前記防水部材の外部に露出するように前記電極から突出する接続端子と、
絶縁性及び防水性を有し、前記ノズル本体に取り付けられ、前記防水部材を保持する保持部材と
を備えることを特徴とする静電散布ノズル。
【請求項２】
前記防水部材は合成ゴム製又は合成樹脂製であり、
前記電極と前記防水部材とはインサート成形によって一体化されていることを特徴とする請求項１に記載の静電散布ノズル。
【請求項３】
前記電極は、軸長方向の中途が屈曲していることを特徴とする請求項１又は２に記載の静電散布ノズル。
【請求項４】
前記保持部材は、
軸長方向が前記噴霧方向に沿い、前記ノズル本体を取り囲むようにして該ノズル本体に取り付けられる筒状部と、
軸長方向が前記噴霧方向に沿い、前記筒状部の外周面に設けられ、前記接続端子が前記噴霧方向の下流側の開口から挿入されることによって前記接続端子を収容する筒状の収容部と、
該収容部の前記噴霧方向の上流側の開口を液密に封止する封止部材と
を有し、
前記防水部材には、前記噴霧方向とは逆方向に前記防水部材から突出し、前記接続端子が貫通し、前記収容部の前記下流側の開口に嵌め込まれることによって該下流側の開口を液密に封止する封止栓が突設され、
前記防水部材は、前記封止栓が前記下流側の開口に嵌め込まれることによって、前記保持部材に保持されることを特徴とする請求項１から３の何れか一項に記載の静電散布ノズル。
【請求項５】
前記封止栓の前記下流側の開口からの抜脱を防止する抜け止めを更に備え、
該抜け止め及び前記保持部材夫々に、互いに係合する係合部が設けられており、該係合部同士の係合によって前記抜け止めが前記保持部材に保持されていることを特徴とする請求項４に記載の静電散布ノズル。
【請求項６】
帯電した液体を散布する静電散布装置において、
請求項１から５の何れか一項に記載の静電散布ノズルと、
該静電散布ノズルが備えるノズル本体に液体を圧送するポンプと、
前記静電散布ノズルが備える接続端子の先端部に接続される電線と、
該電線を介して、前記静電散布ノズルが備える電極を帯電させる電源と
を備えることを特徴とする静電散布装置。
【発明の詳細な説明】
【技術分野】
【０００１】
本発明は、帯電した液体を散布するための静電散布ノズル及び静電散布装置に関する。
【背景技術】
【０００２】
従来、帯電した液状の農薬（液体）を圃場に散布するために、静電散布ノズルが用いられる（例えば特許文献１参照）。特許文献１に記載の静電散布ノズルは、ノズル本体と電極とを備える。ノズル本体は農薬を噴霧する。電極は筒状（環状）をなし、ノズル本体から噴霧された農薬を取り囲む。電極に高電圧が印加された場合、ノズル本体から噴霧された農薬は、電極に印加された電圧の極性とは逆の極性に帯電する。帯電した農薬は、静電効果により、圃場に植えられた作物にムラなく付着する。
【０００３】
特許文献１に記載の静電散布ノズルは、絶縁性及び防水性を有するカバーを更に備える。
第１の態様のカバーは、各筒状のカバー本体と先端キャップとを備える。カバー本体は、ノズル本体を取り囲むようにしてノズル本体に取り付けられる。カバー本体には挿入孔が設けられている。カバー本体に先端キャップが外嵌めされることによって、挿入孔の一端部に連通する収容室がカバー本体と先端キャップとの間に形成される。収容室には、挿入孔に挿入されている電線に接続された電極が収容される。収容室を密閉するために、Ｏリングがカバー本体と先端キャップとの間に配され、電線が貫通している止水プラグが挿入孔の他端部に嵌め込まれる。以上の結果、電極は絶縁及び防水される。
【０００４】
第２の態様のカバーは筒状をなし、ノズル本体を取り囲むようにしてノズル本体に取り付けられる。電極及び電線の電極に接続されている部分は、モールド成形によってカバーに埋め込まれている。この結果、電極は絶縁及び防水される。
【先行技術文献】
【特許文献】
【０００５】
【特許文献１】特開２００６−０９５３５７号公報
【発明の概要】
【発明が解決しようとする課題】
【０００６】
第１の態様の場合、ノズル本体、電極、カバー本体、先端キャップ、電線、Ｏリング、及び止水プラグが別体なので、これらの何れかが劣化したとき、静電散布ノズルを分解すれば、劣化した部品を個別に交換することができる。
しかしながら、分解した静電散布ノズルを組み立て直した場合、Ｏリングの取り付け忘れによって、電極の絶縁及び防水が不完全になる虞がある。ところが、Ｏリングはカバー本体と先端キャップとに覆われるので、Ｏリングの取り付け忘れは気付かれ難い。また、劣化したＯリングが、所定の絶縁性及び防水性を有していないＯリングに交換された場合、漏電又は静電効果の不足等の不具合が起こる虞がある。
【０００７】
一方、第２の態様の場合、電極、カバー、及び電線が一体化されている。故に、これらの何れかが劣化したときでも、電極、カバー、及び電線の全てを交換する必要があるので、無駄に交換される部品が多い。
【０００８】
本発明は斯かる事情に鑑みてなされたものであり、その主たる目的は、部品の交換に伴う不具合の発生を防止することができ、無駄に交換される部品を削減することができる静電散布ノズル及び静電散布装置を提供することにある。
【課題を解決するための手段】
【０００９】
本実施の形態に係る静電散布ノズルは、帯電した液体を散布するための静電散布ノズルにおいて、液体を噴霧するノズル本体と、該ノズル本体から噴霧される液体の周囲に配され、軸長方向が前記液体の噴霧方向に沿う環状の電極と、該電極が埋め込まれ、該電極を絶縁し防水する環状の防水部材と、先端部が前記防水部材の外部に露出するように前記電極から突出する接続端子と、絶縁性及び防水性を有し、前記ノズル本体に取り付けられ、前記防水部材を保持する保持部材とを備えることを特徴とする。
【００１０】
本実施の形態に係る静電散布ノズルは、前記防水部材は合成ゴム製又は合成樹脂製であり、前記電極と前記防水部材とはインサート成形によって一体化されていることを特徴とする。
【００１１】
本実施の形態に係る静電散布ノズルは、前記電極は、軸長方向の中途が屈曲していることを特徴とする。
【００１２】
本実施の形態に係る静電散布ノズルは、前記保持部材は、軸長方向が前記噴霧方向に沿い、前記ノズル本体を取り囲むようにして該ノズル本体に取り付けられる筒状部と、軸長方向が前記噴霧方向に沿い、前記筒状部の外周面に設けられ、前記接続端子が前記噴霧方向の下流側の開口から挿入されることによって前記接続端子を収容する筒状の収容部と、該収容部の前記噴霧方向の上流側の開口を液密に封止する封止部材とを有し、前記防水部材には、前記噴霧方向とは逆方向に前記防水部材から突出し、前記接続端子が貫通し、前記収容部の前記下流側の開口に嵌め込まれることによって該下流側の開口を液密に封止する封止栓が突設され、前記防水部材は、前記封止栓が前記下流側の開口に嵌め込まれることによって、前記保持部材に保持されることを特徴とする。
【００１３】
本実施の形態に係る静電散布ノズルは、前記封止栓の前記下流側の開口からの抜脱を防止する抜け止めを更に備え、該抜け止め及び前記保持部材夫々に、互いに係合する係合部が設けられており、該係合部同士の係合によって前記抜け止めが前記保持部材に保持されていることを特徴とする。
【００１４】
本実施の形態に係る静電散布装置は、帯電した液体を散布する静電散布装置において、本実施の形態に係る静電散布ノズルと、該静電散布ノズルが備えるノズル本体に液体を圧送するポンプと、前記静電散布ノズルが備える接続端子の先端部に接続される電線と、該電線を介して、前記静電散布ノズルが備える電極を帯電させる電源とを備えることを特徴とする。
【００１５】
本実施の形態にあっては、電極が防水部材に埋め込まれている。つまり、電極と防水部材とは一体化されている。防水部材によって、電極は外部から絶縁され、防水される。
静電散布ノズルを組み立てる場合には、電極及び防水部材の取り付けが同時的に行なわれる。故に、電極及び防水部材の何れか一方のみを取り付け忘れる虞はない。電極及び防水部材の取り付けが行なわれなかったときには、静電効果が得られない。故に、電極及び防水部の取り付け忘れに容易に気づくことができる。また、防水部材を、他の防水部材に交換することはできない。故に、劣化した防水部材が、所定の性質を有していない防水部材に交換される虞はない。
以上の結果、部品の交換に伴う不具合の発生を防止することができる。
【００１６】
ノズル本体と、一体化された電極及び防水部材と、保持部材とは互いに別体である。本実施の形態に係る静電散布ノズルを備える静電散布装置の場合、電極の接続端子と電線とが防水部材の外部で接続される。故に、ノズル本体の交換、一体化された電極及び防水部材の交換、保持部材の交換、並びに電線の交換を個別に行なうことができる。従って、無駄に交換される部品を削減することができる。
【００１７】
本実施の形態にあっては、インサート成形によって、一体化された電極と防水部材とを容易に得ることができる。
【００１８】
本実施の形態にあっては、電極の軸長方向の中途が屈曲しているので、電極の強度を向上させることができる。
【００１９】
本実施の形態にあっては、電極が筒状の収容部に収容されている。筒状部の両端開口は、封止部材及び防水部材の封止栓によって液密に封止されている。故に、接続端子を絶縁及び防水することができる。
また、封止栓による収容部の開口の封止と、保持部材への防水部材の取り付けとを同時に行なうことができる。
【００２０】
本実施の形態にあっては、保持部材の係合部と抜け止めの係合部との係合によって、抜け止めを保持部材に容易に取り付けることができる。また、防水部材の封止栓が収容部の開口から抜け出ることを抜け止めが防止するので、保持部材が防水部材を保持する強度を向上させることができる。
【発明の効果】
【００２１】
本実施の形態の静電散布ノズル及び静電散布装置による場合、部品の交換に伴う不具合の発生を防止することができる。また、無駄に交換される部品を削減することができる。
【図面の簡単な説明】
【００２２】
【図１】実施の形態に係る静電散布装置の要部の構成を模式的に示すブロック図である。
【図２】静電散布装置が備える静電散布ノズルを示す斜視図である。
【図３】静電散布ノズルを示す断面図である。
【図４】静電散布ノズルが備える電極及び防水部材を示す斜視図である。
【発明を実施するための形態】
【００２３】
以下、本発明を、その実施の形態を示す図面に基づいて詳述する。
【００２４】
図１は、実施の形態に係る静電散布装置の構成を模式的に示すブロック図である。
図中１は静電散布装置であり、静電散布装置１は、静電散布ノズル２、ポンプ３、及び電源４を備えている。図１には静電散布ノズル２の斜視図が含まれている。
図２は、静電散布装置１が備える静電散布ノズル２を示す斜視図である。図１の斜視図と図２の斜視図とは、後述するように視点が異なる。
図３は、静電散布ノズル２を示す断面図である。
図１〜図３にしめすように、静電散布ノズル２は、ノズル本体２１、電極２２、防水部材２３、及び保持部材２４を備える。
【００２５】
ノズル本体２１は筒状をなす。ノズル本体２１は、給水管３１に連結される基端部と、噴霧口２１１が設けられた先端部とを備える。給水管３１を通ってノズル本体２１に送られた液体（例えば液状の農薬）は、ノズル本体２１の基端部から先端部に向けてノズル本体２１の内部を通り、噴霧口２１１から噴霧される。
図１は静電散布ノズル２をノズル本体２１の基端部側から見た斜視図を含む。図２は、静電散布ノズル２をノズル本体２１の先端部側から見た斜視図である。
ノズル本体２１からの液体の噴霧方向は、ノズル本体２１の軸長方向に沿って噴霧口２１１から離隔する方向である。噴霧口２１１が下向きである場合、噴霧方向は下方向である。
【００２６】
図４は、静電散布ノズル２が備える電極２２及び防水部材２３を示す斜視図である。
図３及び図４に示す電極２２は導電性を有し、例えば金属製である。電極２２は、環状部２２１及び２つの接続端子２２２，２２２を備える。
環状部２２１は、軸長方向の中途が屈曲している。具体的には、環状部２２１は、Ｌ字状の断面を有する円環状をなす。更に詳細には、環状部２２１の断面は、軸長方向に長く、径方向に短い矩形が軸長方向の中途で９０°に外向きに屈曲したような形状をなす。
各接続端子２２２は、環状部２２１の最外周部から軸長方向に突出している。接続端子２２２は矩形片状をなし、突出方向に細長い。接続端子２２２，２２２夫々の突出方向は、互いに同じ向きである。接続端子２２２，２２２は、環状部２２１の周方向に１８０°互いに離隔している。
【００２７】
図２〜図４に示す防水部材２３は、絶縁性及び防水性を有し、例えば合成ゴム製又は合成樹脂製である。防水部材２３は、環状部２３１及び封止栓２３２，２３２を備える。
環状部２３１は円環状をなす。環状部２３１には電極２２の環状部２２１が同軸に埋め込まれている。環状部２３１の内径は、ノズル本体２１の外径よりも大きい。
【００２８】
各封止栓２３２は円柱状をなす。封止栓２３２は、環状部２３１から軸長方向に突出している。封止栓２３２の周面には、夫々適宜の弾性を有する複数の鍔が軸長方向に並設されている。封止栓２３２，２３２夫々の突出方向は、互いに同じ向きである。電極２２の接続端子２２２，２２２は封止栓２３２，２３２の軸心を貫通して封止栓２３２，２３２から突出している。即ち、接続端子２２２，２２２夫々の先端部は、防水部材２３の外部に露出している。
電極２２の防水部材２３に埋め込まれている部分は絶縁及び防水される。
【００２９】
電極２２と防水部材２３とは、インサート成形によって一体化されている。防水部材２３の金型に電極２２が挿入され、次いでこの金型に合成ゴム又は合成樹脂が注入されることによって、一体化された電極２２と防水部材２３とを容易に得ることができる。電極２２と防水部材２３とは一体化されているので、例えば人間が電極２２の接続端子２２２を摘まんで電極２２を防水部材２３から抜脱することはできない。
【００３０】
ここで、電極２２の環状部２３１が屈曲している理由を説明する。環状部２３１の屈曲により、電極２２の強度を向上させることができる。故に、インサート成形を行なう場合に、金型に注入された合成ゴム又は合成樹脂の圧力によって、環状部２３１が変形したり環状部２３１の配置位置がずれたりすることが抑制される。
【００３１】
図１〜図３に示す保持部材２４は絶縁性及び防水性を有し、例えば合成樹脂製である。保持部材２４は筒状部２４１及び収容部２４２，２４２を備える。
筒状部２４１は円筒状をなす。筒状部２４１の内径は、防水部材２３の環状部２３１の内径と同程度である。
【００３２】
収容部２４２，２４２は、筒状部２４１の周方向に１８０°互いに離隔している。各収容部２４２は円筒状をなす。収容部２４２の内径は、防水部材２３の封止栓２３２の外径と同程度である。収容部２４２の軸長方向は筒状部２４１の軸長方向に沿う。収容部２４２は、収容部２４２の軸長方向の一端部が筒状部２４１の軸長方向の一端部に一致するようにして、筒状部２４１の外周面に一体に設けられている。収容部２４２の軸長方向の他端部は、筒状部２４１の軸長方向の他端部から突出する。以下では、保持部材２４の軸長方向の収容部２４２，２４２が突出している側を基端側といい、保持部材２４の軸長方向の基端側の逆側を先端方向という。後述するように保持部材２４がノズル本体２１に取り付けられた場合、基端側は噴霧方向の上流側であり、先端側は噴霧方向の下流側である。
【００３３】
図１〜図３に示すように、静電散布装置１は、電線５を更に備える。電線５は被覆電線であり、導線５１と被覆部５２とを備える。導線５１の一端部には接続端子５１１が設けられている。被覆部５２は絶縁性及び防水性を有し、導線５１を被覆する。ただし、被覆部５２は接続端子５１１を覆わない。
電線５の接続端子５１１は、収容部２４２，２４２の基端側の開口から収容部２４２，２４２に挿入され、接続端子２２２，２２２の一方に接続される。接続端子２２２，５１１を互いに確実に、且つ着脱可能に接続するために、例えば接続端子５１１に接続端子２２２を着脱可能に挟み持つ挟持部が設けられることが望ましい。
【００３４】
防水部材２３は、防水部材２３の封止栓２３２，２３２が保持部材２４の収容部２４２，２４２の先端側の開口に嵌め込まれることによって、保持部材２４に保持される。封止栓２３２は、収容部２４２の先端側の開口を液密に封止する。封止栓２３２，２３２から突出している接続端子２２２，２２２は、収容部２４２，２４２の先端側の開口から収容部２４２，２４２の内部に挿入されることによって、収容部２４２，２４２に収容される。接続端子２２２に接続されている電線５の接続端子５１１も収容部２４２に収容される。
【００３５】
つまり、接続端子２２２，５１１は、収容部２４２の内部で互いに接続される。収容部２４２，２４２夫々の両端開口は液密に封止されるので、電極２２の接続端子２２２，２２２及び電線５の接続端子５１１が絶縁及び防水される。以上の結果、電極２２又は電線５からの漏電が防止されるので、静電散布装置１の使用者が感電する虞はない。
また、封止栓２３２，２３２の収容部２４２，２４２の先端側の開口への嵌め込みによって、収容部２４２，２４２の先端側の開口の封止と、保持部材２４への防水部材２３の取り付けとを同時に行なうことができる。
【００３６】
なお、電極２２は１つの接続端子２２２を備えてもよい。しかしながら、接続端子２２２が１つの場合でも、防水部材２３は２つの封止栓２３２，２３２を備えていることが望ましい。何故ならば、防水部材２３が１つの封止栓２３２しか備えていない場合、保持部材２４が防水部材２３を保持する強度が低下するからである。
【００３７】
保持部材２４は、２つの封止部材２４３，２４３を更に備える。各封止部材２４３は絶縁性及び防水性を有し、例えば合成ゴム製又は合成樹脂製である。封止部材２４３は円柱状をなす。封止部材２４３の周面には、夫々適宜の弾性を有する複数の鍔が軸長方向に並設されている。封止部材２４３は、収容部２４２の基端側の開口に嵌め入れられることによって、収容部２４２の基端側の開口を液密に封止する。
封止部材２４３，２４３の一方には、電線５が貫通する貫通孔が設けられている。貫通孔が設けられている封止部材２４３は、電線５の被覆部５２で覆われている部分に配されている。電線５と電線５に貫通された封止部材２４３とは液密に接触している。
【００３８】
保持部材２４は、２つの抜け止め２４４，２４４を更に備える。抜け止め２４４，２４４は、収容部２４２，２４２に取り付けられる。抜け止め２４４，２４４は、収容部２４２，２４２から封止部材２４３，２４３が抜け出ないように、収容部２４２，２４２の基端側の開口を閉鎖する。
各抜け止め２４４には遊挿孔が設けられている。一方の抜け止め２４４（電線５に貫通されている封止部材２４３のための抜け止め２４４）の遊挿孔には、電線５が遊びを有して挿入される。他方の抜け止め２４４の遊挿孔には電線５は挿入されない。しかしながら、両方の抜け止め２４４，２４４に遊挿孔が設けてあるので、部材が共通化される。
【００３９】
静電散布ノズル２は、抜け止め２５を更に備える。
抜け止め２５は被覆部２５１及び３つの係合部２５２，２５２，２５２を備える。
被覆部２５１は、円錐台の周面のような形状を有し、適宜に肉抜きされている。
係合部２５２，２５２，２５２は、被覆部２５１の大径側の端部に、被覆部２５１の周方向に等配されている。各係合部２５２は、被覆部２５１の大径側の端部から被覆部２５１の軸長方向の外向きに突出する。係合部２５２の先端部には、被覆部２５１の径方向の内向きに突出する爪が設けられている。この爪は、直角台形状の断面を有する。
【００４０】
保持部材２４は環状部２４５及び６つの係合部２４６，２４６，…を更に備える。
環状部２４５は中心部が開口した円板状をなし、筒状部２４１を同軸に取り囲むようにして、筒状部２４１の基端部に連結されている。
各係合部２４６は、環状部２４５の外周部を切り欠くように設けられた凹状をなす。係合部２４６，２４６，…は、環状部２４５の周方向に等配されている。
【００４１】
抜け止め２５の係合部２５２は、保持部材２４の係合部２４６の周縁部に係合する。このために、係合部２５２の爪が、保持部材２４の係合部２４６の周縁部に保持部材２４の先端部側から接触し、係合部２５２が外側へ撓むことによって係合部２５２の爪が係合部２４６の周縁部を乗り越え、係合部２４６の周縁部に基端側から係合する。係合部２４６，２５４は係脱可能である。
【００４２】
抜け止め２５は、抜け止め２５の係合部２５２，２５２，２５２が保持部材２４の係合部２４６，２４６，…の何れか３つに係合することによって、保持部材２４に容易に取り付けられる。抜け止め２５が保持部材２４に取り付けられた場合、保持部材２４に取り付けられている防水部材２３は、抜け止め２５の被覆部２５１によって覆われるので、保持部材２４の収容部２４２，２４２から防止部材２３の封止栓２３２，２３２が抜け出ることが防止される。故に、保持部材２４が防水部材２３を保持する強度を向上させることができる。
【００４３】
保持部材２４の筒状部２４１は、ノズル本体２１に取り付けられる。
筒状部２４１の取り付けのために、ノズル本体２１は円筒部材２１２を更に備える。円筒部材２１２は、ノズル本体２１の外周面を覆うようにしてノズル本体２１に取り付けられる。円筒部材２１２の外周面には複数の突出部２１３，２１３，…が周方向に並設されている。突出部２１３は、円筒部材２１２の外周面から径方向に突出する。
一方、筒状部２４１の内周面からは、筒状部２４１の全周に亘って、突出部２４７が径方向に突出している。
ノズル本体２１は、ノズル本体２１の突出部２１３，２１３，…が筒状部２４１の突出部２４７に基端側から係合するように、筒状部２４１の内部に挿入される。
【００４４】
保持部材２４は、Ｕ字状に屈曲した棒状のロック部材２４８を更に備える。筒状部２４１の周壁には、２つの貫通孔が周方向に並設されている。ロック部材２４８の長さ方向の２つの端部２４ａ，２４ａは、筒状部２４１の周壁に設けられた２つの貫通孔を貫通して、筒状部２４１の外部から内部に挿入される。ロック部材２４８の端部２４ａ，２４ａは、ノズル本体２１の突出部２１３，２１３，…に基端側から係合する。筒状部２４１の突出部２４７とロック部材２４８との間にノズル本体２１の突出部２１３，２１３，…が挟まれるので、ノズル本体２１の筒状部２４１からの抜脱が防止される。
【００４５】
以上のようにして静電散布ノズル２が組み立てられる。
組み立てられた静電散布ノズル２は、給水管３１を介してポンプ３に接続される。ポンプ３は、タンク３２に貯留されている液体を加圧し、給水管３１を通して、静電散布ノズル２に送る。すると、ノズル本体２１の噴霧口２１１から液体が噴霧される。
【００４６】
組み立てられた静電散布ノズル２において、電極２２の環状部２２１及び防水部材２３の環状部２３１は、ノズル本体２１から噴霧方向に適長離隔した位置で、ノズル本体２１から噴霧される液体の噴霧範囲を取り囲む。保持部材２４の筒状部２４１は、ノズル本体２１を取り囲む。環状部２２１，２３１、筒状部２４１、及び収容部２４２，２４２夫々の軸長方向は、ノズル本体２１噴霧された液体の噴霧方向に沿う。収容部２４２の基端側の開口は噴霧方向の上流側の開口であり、収容部２４２の先端側の開口は噴霧方向の下流側の開口である。防水部材２３の各封止栓２３２は、防水部材２３の環状部２３１から噴霧方向の逆方向に突出する。
【００４７】
電源４は一次電池又は二次電池を有し、正の高電圧を出力する正電源装置である。電源４は、出力端子及びアース端子を更に有する。電源４のアース端子は接地される。電源４の出力端子には、電線５の導線５１の他端部（接続端子５１１が設けられていない方の端部）が接続される。電源４が出力した正の高電圧は、電線５を通して電極２２に印加される。この結果、電極２２が正に帯電する。
なお、電源４は電池を有しておらず、静電散布装置１の外部の商用電源又は発電機等に接続されていてもよい。
【００４８】
静電散布ノズル２は、圃場に植えられた作物に向けて液体が噴霧されるようにして用いられる。電極２２が正に帯電することによって、ノズル本体２１から噴霧された液体は負に帯電する。帯電した液体は、静電効果により、圃場に植えられた作物にムラなく付着する。
なお、電源４は負の高電圧を出力する負電源装置でもよい。この場合、電極２２が負に帯電するので、ノズル本体２１から噴霧された液体は正に帯電する。
【００４９】
ところで、静電散布ノズル２（延いては静電散布装置１）に所要の性能を与えるためには、防水部材２３を構成する合成ゴム又は合成樹脂の電気抵抗値、防水部材２３の環状部２３１の形状及び厚み等を最適化する必要がある。仮に、防水部材２３の絶縁性又は防水性が所定の性能を下回っている場合、漏電又は短絡等が発生する虞がある。また、仮に、防水部材２３の絶縁性が高すぎる場合、ノズル本体２１から噴霧された液体を帯電させることができず、静電効果が不足する虞がある。
【００５０】
静電散布ノズル２は分解が容易である。例えば、保持部材２４の係合部２４６，２４６，２４６と抜け止め２５の係合部２５２，２５２，２５２との係合が解除されることによって、保持部材２４から抜け止め２５が取り外される。また、保持部材２４の収容部２４２，２４２から防水部材２３の封止栓２３２，２３２が引き抜かれ、電極２２の接続端子２２２から電線５の接続端子５１１が取り外されることによって、保持部材２４及び電線５から電極２２及び防水部材２３が取り外される。
【００５１】
静電散布ノズル２の分解は、例えば劣化した部品の交換のために行なわれる。ノズル本体２１の交換、電極２２及び防水部材２３の交換、保持部材２４の交換、抜け止め２５の交換、並びに電線５の交換等は、個別に行なうことができる。従って、無駄に交換される部品を削減することができる。
電極２２及び防水部材２３は一体化されているので、防水部材２３を他の防水部材に交換することはできない。故に、劣化した防水部材２３が、所定の性質を有していない防水部材に交換される虞はない。
【００５２】
部品の交換後、静電散布ノズル２が再度組み立てられる。静電散布ノズル２を組み立てる場合には、電極２２及び防水部材２３の取り付けが同時的に行なわれる。故に、電極２２及び防水部材２３の何れか一方のみを取り付け忘れる虞はない。電極２２及び防水部材２３の取り付けが行なわれなかったときには、静電効果が得られない。故に、電極２２及び防水部材２３の取り付け忘れに容易に気づくことができる。
以上の結果、部品の交換に伴う不具合の発生（漏電又は静電効果の不足等）を防止することができる。
【００５３】
電極２２及び防水部材２３が一体化されているので、これらが別体の場合に比べて、部品点数を削減することができる。故に、静電散布ノズル２の組み立て時及び分解時における部品の準備及び交換等が容易である。
保持部材２４への抜け止め２５の取り付け、及び保持部材２４からの抜け止め２５の取り外しは、係合部２４６，２５２の係脱によって容易に行なうことができる。故に、例えば抜け止め２５が保持部材２４に螺合によって取り付けられる場合に比べて、静電散布ノズル２の組み立て及び分解に要する時間を短縮することができる。
以上のような静電散布装置１は、例えば背負い式噴霧機、自走式噴霧機、又は手押し式噴霧機の何れであってもよい。
【００５４】
なお、静電散布装置１が複数個の静電散布ノズル２，２，…を備えている場合、各静電散布ノズル２が備える電極２２の接続端子２２２，２２２の両方に、電線５，５の接続端子５１１，５１１が接続される。電源４及び静電散布ノズル２，２，…の電極２２，２２，…は、電線５，５，…を介して直列に接続される。この場合、最も電源４から遠い静電散布ノズル２は、図１〜図３に示すように、電極２２の接続端子２２２，２２２の何れか一方に電線５の接続端子５１１が接続される。
【００５５】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
【符号の説明】
【００５６】
１      静電散布装置
２      静電散布ノズル
２１    ノズル本体
２２    電極
２２２  接続端子
２３    防水部材
２３２  封止栓
２４    保持部材
２４１  筒状部
２４２  収容部
２４３  封止部材
２４６，２５２  係合部
２５    抜け止め
３      ポンプ
４      電源
５      電線
【図１】
2018167219.tif 000003
【図２】
2018167219.tif 000004
【図３】
2018167219.tif 000005
【図４】
2018167219.tif 000006